(57)【要約】【課題】ユーザが視聴するコンテンツの開始時刻及び終了時刻にあわせて、そのコンテンツに対して表示エフェクトを付与する。【解決手段】エフェクト付与部３０のコンテンツ判定部３１は、地上デジタル放送のＴＳに含まれる番組配列情報ＳＩや電子番組表ＥＰＧの情報をもとに、ジャンルが映画であるコンテンツを特定する。タイミング特定部３２は、番組配列情報ＳＩや電子番組表ＥＰＧの情報をもとに、コンテンツ判定部３１で特定されたコンテンツの開始時刻と終了時刻を特定し、そのコンテンツに、エフェクト制御部２３が、開始時刻と終了時刻に開閉する幕を表示する。【選択図】図１
2008193214.tif 000002
【特許請求の範囲】
【請求項１】
ユーザが視聴するコンテンツの開始及び／又は終了のタイミングで、前記コンテンツに表示エフェクトを付与するために、ユーザがコンテンツを視聴する際に、そのコンテンツの開始及び／又は終了時刻を特定する工程と、
開始時刻に先立つタイミング及び／又は終了時刻に合わせたタイミングで表示エフェクトを表示する工程と、
を有することを特徴とする表示方法。
【請求項２】
前記コンテンツの開始のタイミングで表示エフェクトを付与する場合は、前記コンテンツの開始とともに前記コンテンツが徐々に表示され、前記表示エフェクトが終了する様に制御する工程と
を有することを特徴とする請求項１に記載の表示方法。
【請求項３】
前記コンテンツの終了のタイミングで表示エフェクトを付与する場合は、前記コンテンツが終了する際に、前記コンテンツの表示が徐々に消えるように表示エフェクトを表示する工程と
を有することを特徴とする請求項１又は２に記載の表示方法。
【請求項４】
前記コンテンツのデータに含まれる開始及び／又は終了時刻に関する情報を参照し、前記コンテンツの開始及び／又は終了時間を特定することを特徴とする請求項１から３のいずれかに記載の表示方法。
【請求項５】
前記コンテンツの開始及び／又は終了時刻が記載されている電子情報番組を参照することで、前記コンテンツの開始及び／又は終了時刻を特定することを特徴とする請求項１から４のいずれかに記載の表示方法。
【請求項６】
前記コンテンツの視聴予約の時刻を参照することで、前記コンテンツの開始及び／又は終了時刻を特定することを特徴とする請求項１から５までのいずれかに記載の表示方法。
【請求項７】
前記コンテンツが、ユーザの要求に応じて所定のネットワークを通じて配信される場合、その配信に関する情報をもとに前記コンテンツの開始及び／又は終了時刻を特定することを特徴とする請求項１から６までのいずれかに記載の表示方法。
【請求項８】
ユーザが視聴するコンテンツの開始及び／又は終了のタイミングで、前記コンテンツに表示エフェクトを付与するために、前記コンテンツの開始及び／又は終了時刻を特定するタイミング特定部と、
前記コンテンツの開始のタイミングで、前記コンテンツに表示エフェクトを付与する場合は、前記コンテンツの開始時刻より所定時間前に前記コンテンツに表示エフェクトを表示し、前記コンテンツの終了タイミングで、前記コンテンツに表示エフェクトを付与する場合は、前記コンテンツの終了にあわせて前記コンテンツに表示エフェクトを付与する、エフェクト付与部と、
前記表示エフェクトの表示を制御するエフェクト制御部と
を備えることを特徴とする表示装置。
【発明の詳細な説明】
【技術分野】
【０００１】
本発明は、表示方法及び表示装置に係り、特にユーザに表示するコンテンツに所定のタイミングで表示エフェクトを付与する表示方法及び表示装置に関する。
【背景技術】
【０００２】
近年、液晶テレビやＰＤＰ（プラズマディスプレイ）テレビ等の薄型受像表示装置（以下単に「薄型テレビ」という）の大型化が進み、サイズが５０（インチ）型のテレビも、一般消費者が購入可能な価格になっている。そのような大型のテレビでは、臨場感溢れる環境で、様々なコンテンツを楽しむことができる。
【０００３】
例えば、家庭にいながら、まるで映画館にいるかのようにコンテンツを楽しむことができたり、競技場にいるかのようにスポーツ放送を楽しむことができる。
【０００４】
ところで、上述の薄型テレビ市場における製造メーカ各社の競争は熾烈を極めており、各社とも様々な技術を投入することで映像品位のさらなる向上を実現させ、他社との差別化を図っている。そのような状況において、ユーザの選択基準として、表示品位などの基本性能はもちろんであるが、それ以外の付加機能についても重要になりつつある。
【０００５】
また、そのような付加機能として想定される技術の一つに、エフェクトの付与がある（特許文献１参照。）。この特許文献１に開示の技術では、ビデオカメラで撮影した映像に対して種々のフェードパターンを付与することができる。
【特許文献１】特公平８−８６６０号公報
【発明の開示】
【発明が解決しようとする課題】
【０００６】
上記特許文献１に開示の技術では、ユーザが所望のフェードパターンを選択して、自ら撮影した映像にエフェクトを付与するといった編集を行う。しかし、映像編集を行う際には、非常に効果的な技術であるが、テレビ放送やＤＶＤ（Digital Versatile Disc）ビデオなどのコンテンツを単に視聴する際には、利用できないという課題がある。つまり、映像編集の際には、ユーザ自らエフェクトを付与するタイミングを決定できるが、ユーザが加工できないコンテンツに対しては適用できず、また不適切なタイミングでエフェクトを付与すると、ユーザに不快感を与えかねない。
【０００７】
本発明はこのような状況に鑑みなされたものであって、その目的は、ユーザに表示するコンテンツに対し、そのコンテンツの開始及び／又は終了のタイミングで、コンテンツにエフェクトを付与する技術を提供することにある。
【課題を解決するための手段】
【０００８】
本発明に係る方法は、表示方法に関する。この表示方法は、ユーザが視聴するコンテンツの開始及び／又は終了のタイミングで、前記コンテンツに表示エフェクトを付与するために、ユーザがコンテンツを視聴する際に、そのコンテンツの開始及び／又は終了時刻を特定する工程と、開始時刻に先立つタイミング及び／又は終了時刻に合わせたタイミングで表示エフェクトを表示する工程と、を有する。
前記コンテンツの開始のタイミングで表示エフェクトを付与する場合は、前記コンテンツの開始とともに前記コンテンツが徐々に表示され、前記表示エフェクトが終了する様に制御する工程とを有してもよい。
前記コンテンツの終了のタイミングで表示エフェクトを付与する場合は、前記コンテンツが終了する際に、前記コンテンツの表示が徐々に消えるように表示エフェクトを表示する工程とを有してもよい。
前記コンテンツのデータに含まれる開始及び／又は終了時刻に関する情報を参照し、前記コンテンツの開始及び／又は終了時間を特定してもよい。
前記コンテンツの開始及び／又は終了時刻が記載されている電子情報番組を参照することで、前記コンテンツの開始及び／又は終了時刻を特定してもよい。
前記コンテンツの視聴予約の時刻を参照することで、前記コンテンツの開始及び／又は終了時刻を特定してもよい。
前記コンテンツが、ユーザの要求に応じて所定のネットワークを通じて配信される場合、その配信に関する情報をもとに前記コンテンツの開始及び／又は終了時刻を特定してもよい。
本発明に係る装置は、表示装置に関する。この表示装置は、ユーザが視聴するコンテンツの開始及び／又は終了のタイミングで、前記コンテンツに表示エフェクトを付与するために、前記コンテンツの開始及び／又は終了時刻を特定するタイミング特定部と、前記コンテンツの開始のタイミングで、前記コンテンツに表示エフェクトを付与する場合は、前記コンテンツの開始時刻より所定時間前に前記コンテンツに表示エフェクトを表示し、前記コンテンツの終了タイミングで、前記コンテンツに表示エフェクトを付与する場合は、前記コンテンツの終了にあわせて前記コンテンツに表示エフェクトを付与する、エフェクト付与部と、前記表示エフェクトの表示を制御するエフェクト制御部とを備える。
【発明の効果】
【０００９】
本発明によれば、ユーザが視聴するコンテンツに対して、そのコンテンツに対して開始及び／又は終了のタイミングで表示エフェクトを付与することができる。
【発明を実施するための最良の形態】
【００１０】
次に、本発明を実施するための最良の形態（以下、単に「実施形態」という。）を、図面を参照して具体的に説明する。なお、実施形態では、表示エフェクトの付与対象としてジャンルが「映画」のコンテンツである。コンテンツの開始に先立ち、表示エフェクトとして、閉じた状態の幕を表示し、つづいてコンテンツの開始とともに幕が開いていく映像をコンテンツに付与して表示する。また、コンテンツが終了する際には、幕を閉じ映像をコンテンツに付与して表示する。このような表示エフェクトをコンテンツに付与することで、映画館にいるような演出を実現する。
【００１１】
なお、ここで「コンテンツの開始」とは、ユーザにとって、コンテンツの開始が意識されるタイミングを言い、実際にコンテンツが開始される時刻であっても良いし、１，２秒前後してもよい。また、徐々に幕を開いたり閉じたりすることで、コンテンツは、表示される面積が時系列に拡大もしくは縮小する。
【００１２】
図１は、本実施形態に係るテレビ１０の構成を示す機能ブロック図である。なお、本実施形態はテレビに限らず、ビデオ装置などの映像を表示する装置に適用可能である。
【００１３】
テレビ１０は、チューナ１１と、主制御部１５と、表示制御部２０と、外部入力部１６と、操作取得部１７と、ネットワークコンテンツ取得部１９と、表示部１８とを備える。テレビ１０は、さらに、エフェクト付与部３０を備える。主制御部１５は、テレビ１０の各構成要素の動作を制御する。なお、主制御部１５や、表示制御部２０や、エフェクト付与部３０は、例えば、ＣＰＵ（中央演算装置）等のＬＳＩ（大規模集積回路）やメモリ、及びそのメモリに記憶されてそれぞれの機能を実行するプログラムにより実現される。
【００１４】
主制御部１５は、ユーザの視聴予約を受け付けて、その予約に応じて、チャンネルの切替え処理や、オンオフ制御を行う予約部３９を備える。さらに、予約部３９は、図２に示すように、予約情報が書き込まれたテーブル（以下、単に「予約テーブル」という。）を保持する。予約情報の項目として、「日付（開始予約日）」、「開始予約時刻」、「チャンネル」、コンテンツの「タイトル」が記憶されている。さらに、項目「ジャンル１」にコンテンツのジャンルが、例えば、「映画」や「スポーツ」というように、記憶されている。さらに、項目「ジャンル２」には、ジャンル１をさらに更に細分化したジャンルが、例えば、項目「ジャンル１」が「映画」であれば、「アクション」や「ホラー」等と記憶されている。ジャンルが特定されないときは「不明」と書き込まれる。そして、主制御部１５は、項目「ジャンル１」を参照し、予約されているコンテンツが「映画」であるか否かを判定し、さらに項目「ジャンル２」を参照して、その映画の細分化されたジャンルを特定する。なお、主制御部１５は、時刻管理機能を有し、例えば、所定のチャンネルの時報を参照し、テレビ１０の時刻が適正な時刻となるように管理するとともに、コンテンツの進行タイミングを管理する。
【００１５】
チューナ１１は、アンテナ１９に接続されており、地上デジタル放送を受信及び復号する。チューナ１１は、さらに受信部１２と復号処理部１３とを備える。受信部１２は、所望のチャンネルを選局し、復調処理や誤り訂正処理を行い、放送局から送出されたＴＳ（トランスポート・ストリーム）を抽出する。また、復号処理部１３は、多重化されているＴＳを目的別に分離し、映像データ及び音声データを復号するとともに、それらデータ以外の例えばデータ放送のデータを主制御部１５へ送る。また、復号した映像データは、表示制御部２０へ送られる。
【００１６】
外部入力部１６は、例えばビデオ装置やＤＶＤプレーヤなどの外部映像装置４２から所望のコンテンツを取得し、取得したコンテンツを表示制御部２０へ送る。操作取得部１７は、テレビ１０に備わるスイッチなどの所定のインタフェイス（図示せず）によりユーザの直接の操作を受け付けたり、リモコン４３による間接の操作を受け付ける。
【００１７】
ネットワークコンテンツ取得部１９は、インターネットやホテル内の構内通信網などのネットワーク４６を介して、外部サーバ４４に接続されて、いわゆる、ビデオ・オン・ディマンド（ＶＯＤ）により、ユーザが指定したコンテンツの配信を受ける。配信されたコンテンツは、表示制御部２０に送られる。このＶＯＤによるコンテンツの配信は、例えば、ホテル等の有料視聴番組や、インターネットテレビによるコンテンツ配信がある。
【００１８】
表示制御部２０は、セレクタ２１と、映像構築部２２と、エフェクト制御部２３とを備える。セレクタ２１は、チューナ１１、外部入力部１６、又はネットワークコンテンツ取得部１９を選択し、表示部１８に接続する。映像構築部２２は、例えば必要に応じてデータ放送の内容を反映させた画面を合成したり、選択しているチャンネルの番号や時刻を付与するなどして表示部１８に最終的に表示すべき映像を構築する。また、エフェクト制御部２３は、以下に述べるエフェクト付与部３０で決定された幕の映像を表示エフェクトとしてコンテンツに付与する。
【００１９】
エフェクト付与部３０は、コンテンツ判定部３１と、タイミング特定部３２と、パターン選択部３３とを備える。エフェクト付与部３０は、さらに、エフェクト格納部３５と、タイミング記憶部３６とを備える。
【００２０】
コンテンツ判定部３１は、コンテンツが表示エフェクトの付与対象であるか否かを判断し、付与対象であると判断した場合、そのコンテンツに対して開始タイミング及び終了タイミングで表示エフェクトを付与する旨を決定し、その旨をエフェクト制御部２３に通知する。
【００２１】
なお、開始時刻や終了時刻の特定のために、タイミング特定部３２は、地上デジタル放送のコンテンツであれば、ＴＳに含まれる番組配列情報ＳＩや電子番組表ＥＰＧの情報を、主制御部１５を介してチューナ１１から取得する。また、外部映像装置４２のコンテンツを表示する場合、タイミング特定部３２は、外部映像装置４２から、コンテンツの時間やチャプターなどの進行度合い、さらには、外部映像装置４２に対するユーザの指示などの情報を取得する。近年、例えば、テレビ１０とビデオなどの外部映像装置４２とを連動させる機能が多くの製品に搭載されるようになっており、その機能を利用することで、上述の外部映像装置４２からの情報取得は実現できる。さらに、コンテンツがインターネット、放送等のネットワーク上に複製されるような環境においては、これらの情報をコンテンツの付加情報としてのメタデータから取得してもよい。
【００２２】
タイミング記憶部３６は、タイミング特定部３２において特定された開始時刻及び終了時刻、映画のジャンルと、予約部３９に保持されている予約情報をもとに、図３に示すような、エフェクト付与情報を作成し所定のテーブル（以下、単に「エフェクト用テーブル」ともいう）に記憶する。エフェクト付与情報として、ジャンルが映画である「タイトル（コンテンツ名）」、「チャンネル」、「開始及び終了時刻」、映画のさらに細分化されたジャンルとして図２に示した「ジャンル２」が書き込まれている。さらに、予約の有無を示す「予約」と、次に幕を表示すべきコンテンツを特定する「幕表示」が書き込まれている。予約がある場合は、「予約」の欄にフラグ「１」が設定され、予約がない場合は、フラグ「０」が設定される。また、幕を表示する場合は、「幕表示」の欄にフラグ「１」が設定され、表示しない場合は、フラグ「０」が設定される。さらに、「幕コード」の欄に、「ジャンル２」に対応し、エフェクトの表示パターンに関連づけられた所定のコードが書き込まれる。例えば、映画のジャンルが「アクション」なら、コード「０１」が書き込まれ、「不明」の場合は、コード「００」が書き込まれる。また、エフェクト制御部２３は、このタイミング記憶部３６に記憶されている開始又は終了時刻に基づき、表示エフェクトをコンテンツに付与する。
【００２３】
また、ジャンル特定部３４は、コンテンツのジャンルを特定する。具体的には、地上デジタル放送のコンテンツであれば、ＴＳに含まれる番組配列情報ＳＩやＥＰＧをもとに、例えば、ジャンルとして「映画」や「スポーツ」、「ドラマ」などと特定する。ジャンルが映画であると特定された場合、そのコンテンツに、表示エフェクトとして幕が表示される。
【００２４】
ジャンル特定部３４は、映画のジャンルを、「アクション」「ＳＦ」等と細分化して特定し、パターン選択部３３は、細分化されたジャンルに応じて幕のパターンを変更する。細分化されたジャンルは、例えば、ＴＳに含まれるＥＩＴ（イベント情報テーブル）を参照することで、特定される。また、幕のパターンを変更するとは、幕のデザインを変更する場合に限らず、幕開閉の仕方を変えることなどが想定される。幕のパターンは、エフェクト格納部３５に、上述の幕コードに関連づけられて格納されており、パターン選択部３３は、そのエフェクト格納部３５から、細分化されたジャンル（幕コード）に応じて適切な幕のパターンを選択する。
【００２５】
また、使用される言語に応じて表示エフェクトのパターンが変更されてもよい。具体的には、テレビ１０の使用環境として、「日本語」が設定されていれば、例えば、内部に使用される文字が「日本語」である表示エフェクトのパターンを使用し、「外国語」が設定されていれば、内部に使用される文字が「英語」である表示エフェクトのパターンを使用する。
【００２６】
また、表示エフェクトのパターンに使用される文字は、使用環境として設定されている言語だけでなく、コンテンツに使用される言語に応じて変更してもよい。例えば、コンテンツが「外国の映画」であると判断された際には、表示エフェクトのパターン中に含まれる文字を英語にする。コンテンツが使用している言語が外国語であるか否かは、ＥＰＧを参照したり、デジタル放送であればＴＳに含まれる番組情報を参照したりすることで実現できる。また、映画のタイトルリストと使用言語とが関連づけられたリストを参照してもよく、そのリストは、テレビ１０に備わってもよいし、テレビ１０に接続される外部機器（図示せず。）又はネットワーク上の所定のサーバ（図示せず。）に備わり、使用に応じてテレビ１０がリストにアクセスして参照してもよい。
【００２７】
以上の構成による表示エフェクトの付与の工程に関して、図４から図６のフローチャート、図７及び図８の表示エフェクトの例をもとに説明する。まず、図４を参照し、チューナ１１において受信された番組のコンテンツに幕を表示する場合を説明する。
【００２８】
まず、テレビ１０に電源が投入された場合や、選択されているチャンネルが変更された場合、エフェクトモードが選択されているか否かを判定する（Ｓ１０）。エフェクトモードが選択されていない場合（Ｓ１０のＮ）、このフローによる処理は実行されない。
【００２９】
エフェクトモードが選択されている場合、又は、ユーザがリモコン４３でエフェクトモードを選択した場合（Ｓ１０のＹ）、タイミング特定部３２は、上述のようにタイミング記憶部３６に記憶されているエフェクト用テーブルを更新する（Ｓ１２）。具体的には、まず、タイミング特定部３２は、予約部３９に記憶されている予約テーブルを参照し、予約テーブルの内容をタイミング記憶部３６のエフェクト用テーブルに、反映させる。さらに、タイミング特定部３２は、ＥＰＧを参照し、所定時間先、ここでは、３時間先までに開始する映画番組を抽出してタイミング記憶部３６のエフェクト用テーブルに、反映させる。なお、ここで、「エフェクト用テーブルに反映させる」とは、予約テーブルに新たな予約が追加されていたり、ＥＰＧの参照の結果、映画番組があることが判明した場合、予約を追加したり、新たな映画番組を追加したり、また、既に、終了している番組に関して削除することをいう。
【００３０】
次に、コンテンツ判定部３１は、現在選択されている番組が、映画番組であるか否かを判定する（Ｓ１４）。具体的には、上述のエフェクト用テーブルを参照し、「幕」の欄に、フラグ「１」が設定されている場合に、映画番組であると判定し、フラグ「０」が設定されている場合、映画ではないと判断する。現在の番組が、映画番組でないと判定された場合（Ｓ１４のＮ）、幕は表示させず、次に映画番組の開始されるタイミングまで待機状態となる。より具体的には、映画番組が始まる５秒前となったか否かを判断し（Ｓ１６）、５秒前になるまで待機する（Ｓ１６のＮ）。
【００３１】
開始５秒前になると（Ｓ１６のＹ）、図７（ａ）に示すように、テレビ１０の画面に幕が閉じた状態の映像を表示する（Ｓ１８）。このとき、開始される映画番組のタイトルなどの表示をさらに追加してもよい。そして、開始時刻まで待機する（Ｓ２０のＮ）。開始時刻になると（Ｓ２０のＹ）、図７（ｂ）に示すように、幕を徐々に開くような映像をコンテンツに付与する（Ｓ２２）。このとき、図に示すように、コンテンツが開始した旨を伝える「スタート」の文字が表示エフェクトの一部として表示される。
【００３２】
幕が開く動作が終了すると、図７（ｃ）に示すように、幕はコンテンツの両サイドに表示された状態となる（Ｓ２４）。したがって、このとき、コンテンツには幕は付与されていない。また、幕が画面から消えるように開く映像が付与されてもよい。なお、Ｓ１４のステップにおいて、現在選択されている番組が映画番組であると判断された場合も（Ｓ１４のＹ）、コンテンツは途中から選択されていることから、幕はコンテンツの両サイドに開いた状態で表示される（Ｓ２４）。
【００３３】
つづいて、幕が表示された状態から、幕が閉じるまでの処理に移る。コンテンツの終了前までに、予約があってチャンネルの変更が予定されているか否かを判断する（Ｓ２６）。チャンネルの変更が予定されている場合（Ｓ２６のＹ）、予約部３９は、予約時刻になったかを判断する（Ｓ２８）。予約時刻まで、コンテンツに対する幕表示は変更されない。予約時刻になると（Ｓ２８のＹ）、Ｓ１８の幕を閉じて表示する処理までステップが進み、上述したＳ１８以降のステップが処理される。
【００３４】
なお、予約時刻の数秒前にＳ１８のステップに移ってもよい。一般には、地上デジタル放送において、コンテンツの表示までに、ＴＳの取得及び復号等の処理に、数秒程度時間が必要とされる。それら処理の期間は、幕を表示させるようにすることで、ユーザに対して、映画が始まる演出と、映像が表示されるタイミングがずれることによってユーザが苛つくことの回避との、二つの効果が得られる。
【００３５】
Ｓ２６の処理の説明に戻り、予約によるチャンネルの変更がない場合（Ｓ２６のＮ）、図８（ａ）に示すように、幕をコンテンツの両サイドに表示した状態で、コンテンツは終了時刻まで表示される（Ｓ３０のＮ）。終了時刻になると（Ｓ３０のＹ）、図８（ｂ）に示すように、幕を徐々に閉じる映像をコンテンツに付与し（Ｓ３２）、図８（ｃ）に示すように、幕が閉じた状態となり終了する。なお、幕を閉じる映像の付与は、終了時刻になる前に、例えば、１０秒前から開始してもよい。なお、予約とは別に、ユーザの操作によってチャンネルの変更がなされた場合、割り込み処理により、Ｓ１２のステップに移る処理が実行される。
【００３６】
次に、図５をもとに、ユーザが外部映像装置４２のコンテンツを視聴する場合について説明する。ここでは、エフェクトモードが選択されているものとする。
【００３７】
まず、コンテンツ判定部３１は、セレクタ２１が外部入力部１６を選択していることを取得し（Ｓ１１０）、幕を閉じた状態で表示する（Ｓ１１２）。
【００３８】
つづいて、ユーザが外部映像装置４２を操作しコンテンツの再生を開始すると、外部映像装置４２は、外部入力部１６、予約部３９を介してコンテンツ判定部３１に対して、その再生指示があった旨を通知する（Ｓ１１４）。
【００３９】
すると、コンテンツ判定部３１は、さらに、コンテンツの表示時間及び、どの部分から再生が開始されたかを、外部映像装置４２から取得する（Ｓ１１６）。より具体的には、コンテンツの最初からどれだけ時間が経過した部分で再生が開始されたかや、コンテンツのどのチャプターで再生が開始されたかなどである。
【００４０】
最初から再生が開始されたと判断されると（Ｓ１１８のＹ）、幕を閉じた状態で表示し、さらに所定期間経過後、幕を徐々に開く映像をコンテンツに付与する（Ｓ１２０）。このとき、幕が開くタイミングで、コンテンツの再生が開始されてもよいし、上述の外部映像装置４２に対する再生指示がなされた時点でコンテンツ再生が開始されてもよい。幕を閉じた状態で表示している上記の所定期間が短い場合は、外部映像装置４２に対する再生指示と同時にしても、コンテンツが幕に隠れて適正に表示されない期間が短くて済み、したがって、外部映像装置４２の再生開始と同期をとる必要が低い。それゆえに、制御が容易となる。
【００４１】
また、開幕の表示にあわせて再生を開始する場合、コンテンツが幕に隠れる期間を短くするために同期をとる必要がある。したがって、適正に表示されない期間を短縮する観点で、幕を閉じた状態で表示しておく上記の所定期間が長い場合に、外部映像装置４２の再生開始と同期をとることが、より好適である。なお、同期をとるために、例えば、外部映像装置４２から送られてくる信号のフォーマットを参照してもよい。例えば、映画の場合、解像度が高い映像であったり、音声のフォーマットが、５．１チャンネルなどになっていることが多い。そのような信号のフォーマットを参照することで、外部映像装置４２とテレビ１０との間に、制御信号の送受信が不要となる。
【００４２】
幕が開き終わると、幕はコンテンツの両サイドに開いた状態で表示される（Ｓ１２２）。
【００４３】
Ｓ１１８のステップの説明に戻り、途中から再生が開始されたと判断された場合は（Ｓ１１８のＮ）、幕を閉じた状態や開く状態を表示させず、幕が開いた状態から表示する（Ｓ１２０）。なお、途中から再生が開始した場合、その旨を知らせるエフェクトを表示させてもよい。
【００４４】
その後、コンテンツの終了時間（時刻）になるまで、両サイドに開いた状態を継続表示させる（Ｓ１２４）。コンテンツの終了時間になると、エフェクト制御部２３は、徐々に幕を閉じる映像をコンテンツに付与する（Ｓ１２６）。
【００４５】
次に、図６を参照して、ユーザがホテルテレビにおいてＶＯＤにより有料視聴番組を視聴する場合について説明する。ホテルに備わる外部サーバ４４には、有料視聴番組のコンテンツが多数蓄積されており、ユーザはコンテンツのリストから所望のコンテンツを選択することで有料視聴番組が視聴できる。なお、この態様は、ホテルテレビの他に、インターネットテレビなどのＶＯＤのサービスを利用する実施態様に適用できる。
【００４６】
ユーザが、リモコン４３を操作し、コンテンツのリストから所望のコンテンツを選択すると、その旨が、ネットワーク４６を介して、外部サーバ４４に通知される（Ｓ２１０）。その通知と同時に、幕が閉じた状態で表示され（Ｓ２１２）、次に述べるように、外部サーバ４４とテレビ１０との接続処理が開始される（Ｓ２１４）。
【００４７】
一般に、外部サーバ４４に対してコンテンツのリクエストがなされると、外部サーバ４４は、ホテル内で使用されていない空チャンネルを、コンテンツ送信チャンネルとして割り当てる。さらに、外部サーバ４４は、テレビ１０に対して、その割り当てられたチャンネルに、選局へ変更するよう通知する。すると例えば、テレビ１０のネットワークコンテンツ取得部１９が、通知を受けたチャンネルに変更する。この一連の接続処理には、若干の期間が必要とされることがあり、その期間中には、画面には何も表示されなかったり、時計表示がなされたり、接続処理中である旨が表示される。本実施形態は、この期間を有効に活用し、幕を表示することで、コンテンツ視聴に対して臨場感を演出する。
【００４８】
そして、接続処理が終了するまで幕が閉じて表示される（Ｓ２１６のＮ）。接続処理が終了すると（Ｓ２１６のＹ）、つづいて外部サーバ４４はコンテンツの送信を開始する。このとき、外部サーバ４４からコンテンツの長さ（時間）が通知されるので、タイミング特定部３２は、コンテンツの終了時刻を特定し、タイミング記憶部３６に記憶する。そして、予約部３９は接続処理が終了した旨をエフェクト制御部２３に通知し、エフェクト制御部２３は、外部サーバ４４から送信されてきたコンテンツに対し、幕を徐々に開くように映像を付与する（Ｓ２１８）。
【００４９】
幕が完全に開くと、コンテンツが終了するまでの期間、幕はコンテンツの両サイドに表示される（Ｓ２２０）。そしてタイミング特定部３２は、コンテンツの進捗を監視し、コンテンツが終了するまで、幕をコンテンツの両サイドに表示する（Ｓ２２２のＮ）。コンテンツの終了時刻になると（Ｓ２２２のＹ）、エフェクト制御部２３は、幕が閉じる映像をコンテンツに付与し（Ｓ２２４）、幕が閉じると一連のフローは終了する。
【００５０】
以上、本実施形態によれば、コンテンツが開始する又は終了する時刻に、所望の表示エフェクトを付与することができる。また、液晶テレビなどの薄型表示装置では、サイズが５０（インチ）型を越えるものが、一般消費者に購入されるようになっている。そこで、映画などのジャンルのコンテンツを視聴する際に、特に、上述のような大型の画面にコンテンツの開始や終了のタイミングで幕を表示する場合、家庭にいながら映画館にいるような臨場感を視聴者に提供できる。また、開始時刻に先立ち幕を表示し、開始時刻にあわせて幕を開くエフェクトを付与することで、コンテンツ開始前に、コンテンツと関係ない映像を表示しないで済み、また、幕に邪魔されて見えない期間をなくすことができる。
【００５１】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【産業上の利用可能性】
【００５２】
本発明は、テレビなどの表示装置に広く利用できる。
【図面の簡単な説明】
【００５３】
【図１】本発明の実施形態に係るテレビの構成を示す機能ブロック図である。
【図２】予約部に記憶される予約テーブルの一例を示す図である。
【図３】タイミング記憶部に記憶されるエフェクト用テーブルの一例を示す図である。
【図４】チューナにおいて受信した映画番組に幕を付与する処理を示すフローチャートである。
【図５】外部映像装置で再生されるコンテンツに、幕を付与する処理を示すフローチャートである。
【図６】ホテルテレビにおいてＶＯＤにより配信されるコンテンツに対して、幕を付与する処理を示すフローチャートである。
【図７】コンテンツが開始する際に付与される表示エフェクトの一例を示す図である。
【図８】コンテンツが終了する際に付与される表示エフェクトの一例を示す図である。
【符号の説明】
【００５４】
１０・・・テレビ（表示装置）、  １１・・・チューナ、  １２・・・受信部、  １３・・・復号処理部、  １５・・・主制御部、  １６・・・外部入力部、  １７・・・操作取得部、  １８・・・表示部、  １９  ネットワークコンテンツ取得部、  ２０・・・表示制御部、  ２１・・・セレクタ、  ２２・・・映像構築部、  ２３・・・エフェクト制御部、  ３０・・・エフェクト付与部、  ３１・・・コンテンツ判定部、  ３２・・・タイミング特定部、３３・・・パターン選択部、３４・・・ジャンル特定部、  ３５・・・エフェクト格納部、  ３６・・・タイミング記憶部、  ４２・・・外部映像装置、  ４３・・・リモコン、  ４４・・・外部サーバ、  ４６・・・ネットワーク。
【図１】
2008193214.tif 000003
【図２】
2008193214.tif 000004
【図３】
2008193214.tif 000005
【図４】
2008193214.tif 000006
【図５】
2008193214.tif 000007
【図６】
2008193214.tif 000008
【図７】
2008193214.tif 000009
【図８】
2008193214.tif 000010